(57)【特許請求の範囲】
【請求項１】
梁と、柱と、連結柱と、コーナー部材とを備え、コーナー部材は略Ｌ字形で、略水平方向に延びる腕部と、垂直下方向に延びる基部とを有しており、梁は左右に延びるものであって両端に端部孔を有しており、端部孔にコーナー部材の腕部を挿入してあり、柱は上端に垂直孔を有しており、垂直孔にコーナー部材の基部を挿入してあり、連結柱は上端に端面の略全面にわたる大きさの連結孔を有しており、連結孔内の前後面に内周側に向けて突出する仕切片を設けてあって、仕切片によって連結孔を複数の区画に仕切ってあり、各区画にコーナー部材の基部を挿入してあって、各コーナー部材の基部同士が連結孔内で近接しており、柱と連結柱は側面上端に切欠を設けてあって、各コーナー部材の腕部が切欠に嵌まっていることを特徴とする組立建物。
【請求項２】
連結具を備え、連結孔に挿入した複数のコーナー部材同士を連結具で連結してあることを特徴とする請求項１記載の組立建物。
【請求項３】
梁と、柱と、連結柱と、コーナー部材とを備える組立建物の施工方法であって、コーナー部材は略Ｌ字形で、略水平方向に延びる腕部と、垂直下方向に延びる基部とを有しており、梁は左右に延びるものであって両端に端部孔を有しており、柱は上端に垂直孔を有しており、連結柱は上端に端面の略全面にわたる大きさの連結孔を有しており、連結孔内の前後面に内周側に向けて突出する仕切片を設けてあって、仕切片によって連結孔を複数の区画に仕切ってあり、柱と連結柱の側面上端に切欠を設けてあり、梁の両端の端部孔にコーナー部材の腕部を挿入した後、柱の垂直孔にコーナー部材の基部を挿入し、連結柱の連結孔の各区画に、各コーナー部材の基部を相互に近接させて挿入するとともに、各コーナー部材の腕部を切欠に嵌めることを特徴とする組立建物の施工方法。
【発明の詳細な説明】
【技術分野】
【０００１】
本発明は、梁と、柱とを備える組立建物及びその施工方法に関する。
【背景技術】
【０００２】
カーポート、テラス、バルコニーなどの組立建物は、一般に、柱と、柱に横架した梁を備え、梁に屋根を吊り下げるか、または梁の上に屋根を載置した構造となっている。このような組立建物を二棟連設する場合、従来は、梁同士を長手方向に連結してから、柱の上に持ち上げて取り付けていた。そしてこの際、補強のため連結部の下側にも柱を設けていた。
【発明の概要】
【発明が解決しようとする課題】
【０００３】
しかしながら、梁を連結すれば、その分だけ長く、重くなるので、これを柱の上に持ち上げて取り付けるにはより大型のクレーンが必要になるなど、施工に手間が掛かっていた。
【０００４】
本発明は、上記事情を鑑みたものであり、梁同士をあらかじめ連結することなく、柱上で連設可能な組立建物及びその施工方法を提供することを目的とする。
【課題を解決するための手段】
【０００５】
本発明のうち請求項１の発明は、梁と、柱と、連結柱と、コーナー部材とを備え、コーナー部材は略Ｌ字形で、略水平方向に延びる腕部と、垂直下方向に延びる基部とを有しており、梁は左右に延びるものであって両端に端部孔を有しており、端部孔にコーナー部材の腕部を挿入してあり、柱は上端に垂直孔を有しており、垂直孔にコーナー部材の基部を挿入してあり、連結柱は上端に端面の略全面にわたる大きさの連結孔を有しており、連結孔内の前後面に内周側に向けて突出する仕切片を設けてあって、仕切片によって連結孔を複数の区画に仕切ってあり、各区画にコーナー部材の基部を挿入してあって、各コーナー部材の基部同士が連結孔内で近接しており、柱と連結柱は側面上端に切欠を設けてあって、各コーナー部材の腕部が切欠に嵌まっていることを特徴とする。
【０００６】
本発明のうち請求項２の発明は、連結具を備え、連結孔に挿入した複数のコーナー部材同士を連結具で連結してあることを特徴とする。
【０００７】
本発明のうち請求項３の発明は、梁と、柱と、連結柱と、コーナー部材とを備える組立建物の施工方法であって、コーナー部材は略Ｌ字形で、略水平方向に延びる腕部と、垂直下方向に延びる基部とを有しており、梁は左右に延びるものであって両端に端部孔を有しており、柱は上端に垂直孔を有しており、連結柱は上端に端面の略全面にわたる大きさの連結孔を有しており、連結孔内の前後面に内周側に向けて突出する仕切片を設けてあって、仕切片によって連結孔を複数の区画に仕切ってあり、柱と連結柱の側面上端に切欠を設けてあり、梁の両端の端部孔にコーナー部材の腕部を挿入した後、柱の垂直孔にコーナー部材の基部を挿入し、連結柱の連結孔の各区画に、各コーナー部材の基部を相互に近接させて挿入するとともに、各コーナー部材の腕部を切欠に嵌めることを特徴とする。
【発明の効果】
【０００８】
本発明のうち請求項１及び３の発明によれば、梁同士をあらかじめ連結する必要がなく、梁にコーナー部材を取り付け、梁を一本ずつ持ち上げてコーナー部材の垂直部を上方から柱の垂直孔及び連結柱の連結孔に落とし込めばよいので、施工が容易である。
【０００９】
本発明のうち請求項２の発明によれば、コーナー部材同士を連結することで、隣接するコーナー部材及びそれぞれに接続された梁が一体となるので、より強固な構造となる。
【図面の簡単な説明】
【００１０】
【図１】柱及び連結柱と梁との連結部分の正面図である（吊下型）。
【図２】柱及び連結柱と梁との連結部分を示し、（ａ）は平面図、（ｂ）Ａ−Ａ線断面図である（吊下型）。
【図３】組立建物の施工方法の説明図である。
【図４】組立建物（吊下型）の正面図である。
【図５】柱及び連結柱と梁との連結部分の正面図である（梁置型）。
【図６】組立建物（梁置型）の正面図である。
【図７】連結柱において梁を直角に連設する場合の説明図である。
【発明を実施するための形態】
【００１１】
以下、本発明の実施の形態を図面に基づいて説明する。本発明の組立建物は種々の用途に用いられるが、ここではカーポートの場合を示す。なお、以下において上下左右とは図４又は図６における上下左右を示し、図４又は図６の手前側を前側、奥側を後側とする。この組立建物の第一実施形態は、図４に示すように、梁１と、柱２と、連結柱３と、屋根６とを備えるものである。柱２は左右に立設してあり、柱２の間に連結柱３が立設してあって、左の柱２と連結柱３の間隔は、右の柱２と連結柱３の間隔の略二倍である。そして、左の柱２と連結柱３、及び右の柱２と連結柱３の間には、それぞれ梁１を横架してあり、左の梁１の長さは右の梁１の長さの略二倍である。また後側にも同様に柱２、連結柱３及び梁１を設けてあり（図示省略）、前後の梁１にわたって屋根６を吊り下げてある（左の梁１には二枚の屋根６が、右の梁１には一枚の屋根６が吊り下げてある）。屋根６は、図１に示すように、左右端に前後に延びる桁６１を有しており、桁６１に二本一組の吊下部材７の下端を固定してある。そして、図１及び図３に示すように、梁１の下面には長手方向に沿って取付溝１３を形成してあり、取付溝１３に吊下部材７の上端を取り付けてあって、前後の梁１それぞれの左右側、計四箇所で一枚の屋根６を支持している。
【００１２】
次に、梁１と、柱２及び連結柱３の連結部分について詳述する。本発明では、図１〜図３に示すように、梁１と、柱２及び連結柱３を連結するためにコーナー部材４を用いる。コーナー部材４は、略Ｌ字形で、水平方向に延びる腕部４１と、垂直下方向に延びる基部４２とを有しており、腕部４１は断面形状が上下に長い長方形であり、基部４２は断面形状が前後に長い長方形である。一方、梁１、柱２及び連結柱３は何れもアルミ形材からなるもので、端部は開口している。ここで、梁１の両端の開口部を端部孔１１、柱２の上端の開口部を垂直孔２１、連結柱３の上端の開口部を連結孔３１とする。そして、梁１の端部孔１１の内周面には凸部１２を形成してあり、コーナー部材４の腕部４１が凸部１２に沿って挿入されている。また、柱２の垂直孔２１の内周面にも凸部２２を形成してあり、コーナー部材４の基部４２が凸部２２に沿って挿入されている。さらに、連結柱３の連結孔３１の内周の前側面及び後側面には、内周側に向けて突出する仕切片３２を形成してあり、仕切片３２によって連結孔３１が左右二つの区画に仕切られていて、コーナー部材４の基部４２が仕切片３２に沿って各区画に挿入されている。なお、図３に示すように、柱２及び連結柱３の側面には切欠２３，３３を形成してあり、コーナー部材４の基部４２を垂直孔２１又は連結孔３１に挿入すると、腕部４１が切欠２３，３３に嵌る。そして、コーナー部材４と、梁１、柱２及び連結柱３は、それぞれボルトで締結してあり、さらに、連結孔３１に挿入した二つのコーナー部材４の上面に跨って板状の連結具５をネジ止めしてある。
【００１３】
このような構成の組立建物を施工する際には、まず、設置箇所に柱２及び連結柱３を立設する。次に、梁１の両端の端部孔１１にコーナー部材４の腕部４１を挿入してボルトで締結する。そして左右一方の梁１を持ち上げて、柱２及び連結柱３の上方から下ろし、柱２の垂直孔２１及び連結柱３の連結孔３１に梁１の両端のコーナー部材４の基部４２をそれぞれ挿入してボルトで締結する。さらに他方の梁１を持ち上げて、同様に、柱２の垂直孔２１及び連結柱３の連結孔３１に梁１の両端のコーナー部材４の基部４２をそれぞれ挿入してボルトで締結する。そして連結孔３１に挿入した二つのコーナー部材４に連結具５をネジ止めして、コーナー部材４同士を連結する。これで梁１、柱２及び連結柱３の施工は完了し、あとは梁１に屋根６を吊り下げれば組立建物が完成する。
【００１４】
このように、本発明の組立建物によれば、施工の際に梁同士をあらかじめ連結する必要がなく、梁にコーナー部材を取り付け、梁を一本ずつ持ち上げてコーナー部材の垂直部を上方から柱の垂直孔及び連結柱の連結孔に落とし込めばよいので、施工が容易である。そして、コーナー部材同士を連結具により連結することで、隣接するコーナー部材及びそれぞれに接続された梁が一体となるので、より強固な構造となる。
【００１５】
なお、本発明の組立建物は、図５及び図６に示す第二実施形態のように、梁１の上に屋根６を載置したものであってもよい。この場合も、梁１、柱２及び連結柱３の構成は第一実施形態と同じである。ただし、連結具５は、平板部５１と、平板部５１から下方に延出する垂下片５２とを有し、垂下片５２をコーナー部材４の前側面及び後側面に当接させてネジ止めしてある。そしてそれらの施工後、屋根６を梁１の上に載せて、梁１と屋根６の桁６１とを連結すればよい。
【００１６】
さらに、本発明の組立建物において、梁１は一直線に連設するものに限られず、連結柱３において梁１の向きを変えて連設してもよい。図７は、梁１を直角に連設する場合を示したものであり、連結柱３の連結孔３１は、左右に延びる仕切片３２により前側孔３１ａと後側孔３１ｂの二つの孔に分断されている。そして、前側孔３１ａには腕部４１が前側に延びる向きにコーナー部材４の基部４２を挿入してあり、後側孔３１ｂには腕部４１が左側に延びる向きにコーナー部材４の基部４２を挿入してあり、二つのコーナー部材４の上面に跨って連結具５をネジ止めしてあり、それぞれの腕部４１に梁１が取り付けてあって、二本の梁１が直角に連設してある。なお、後側孔３１ｂには、もう一つのコーナー部材４の基部４２を、腕部４１が右側に延びる向きに挿入することが可能であり、一本の連結柱３に三本の梁１をＴ字形に連設することもできる。この場合、三つのコーナー部材４の上面に跨って連結具５をネジ止めする。また、連結孔をさらに拡大して仕切片を追加し、連結孔に四つのコーナー部材の基部を挿入して、四本の梁を十字形に連設してもよい。
【００１７】
本発明は、上記の実施形態に限定されない。たとえば、梁はある程度湾曲又は傾斜しているものであってもよく、その場合、コーナー部材の腕部も梁に合わせて傾斜したものとなる。また、連結孔及び仕切片の形状を適宜変更することにより、連結柱において梁を自在な向きに連設できる。さらに、この組立建物は、カーポート以外に、テラスやバルコニーなどとして使用するものであってもよい。
【符号の説明】
【００１８】
１  梁
２  柱
３  連結柱
４  コーナー部材
５  連結具
１１  端部孔
２１  垂直孔
３１  連結孔
３２  仕切片
４１  腕部
４２  基部
【図１】
0005687919.tif 000002
【図２】
0005687919.tif 000003
【図３】
0005687919.tif 000004
【図４】
0005687919.tif 000005
【図５】
0005687919.tif 000006
【図６】
0005687919.tif 000007
【図７】
0005687919.tif 000008